(57)【要約】【課題】屋根ユニットを用いて屋根が構築された建物において、建物設備の設置に関して建築現場での作業負担を軽減し、しかも、屋根ユニットを好適に運搬する。【解決手段】建物１０の屋根１３は複数の屋根ユニット２１を有しており、屋根ユニット２１は屋根フレーム２２と屋根面材２３とを有している。建物１０には、屋内空間の天井部に埋め込まれた状態で空調装置が設置されている。空調装置は、屋根フレーム２２に対して固定されている。建物１０には、空調装置を昇降させる昇降機構が設けられており、空調装置は、昇降機構により昇降することで、屋根ユニット２１から下方に突出した突出位置と、屋根ユニット２１内に収納された収納位置とに移動可能になっている。空調装置が収納位置にある場合、掛け渡し具が空調装置と屋根フレーム２２とに掛け渡された状態で装着されることで、空調装置が収納位置に保持される。【選択図】      図１
2015151817.tif 000002
【特許請求の範囲】
【請求項１】
屋内空間を有する建物本体と、
前記建物本体の上に設けられた屋根ユニットと、
前記屋根ユニットから前記屋内空間に向けて突出した突出位置に設けられた建物設備と、
前記屋根ユニット及び前記建物本体の少なくとも一方に対して固定され、前記建物設備を前記突出位置に保持している保持手段と、
を備え、
前記建物設備は、前記突出位置より高い位置に退避した退避位置から下方に向けて移動することで前記突出位置に配置され、且つ該突出位置にて前記保持手段により保持されているものであり、前記退避位置にある場合において、当該建物設備を前記突出位置に移動させることが可能な移動手段により前記屋根ユニットに連結された状態になっており、
前記移動手段は、前記建物設備を前記退避位置に配置した退避状態と、該建物設備を前記突出位置に配置した突出状態とに、同建物設備を前記屋根ユニットに連結した状態のままで移行可能であることを特徴とする建物。
【請求項２】
前記移動手段は、前記建物設備を前記退避位置から前記突出位置に移動させた状態で、該建物設備が前記突出位置よりも低い位置に移動することを規制するものであることを特徴とする請求項１に記載の建物。
【請求項３】
前記屋根ユニットは、
上弦材及び下弦材を含んで構成された屋根フレームと、
前記屋根フレームの上に設けられた屋根面材と、
を有しており、
前記建物設備は、前記突出位置にある場合に前記下弦材より下方に突出した状態になっている一方で、前記退避位置にある場合に前記下弦材より上方に収納された状態になっており、
前記移動手段は、前記屋根フレームの前記上弦材に対して固定されていることを特徴とする請求項１又は２に記載の建物。
【請求項４】
前記移動手段は、
上下方向に延び、前記屋根ユニットと前記建物設備とを連結する連結部材と、
前記屋根ユニットに対して前記連結部材を回動可能に接続している屋根側軸部と、
前記屋根側軸部から所定間隔で配置され、前記建物設備に対して前記連結部材を回動可能に接続している設備側軸部と、
を有し、鉛直方向に対する前記連結部材の傾斜角度が所定角度に保持されることで前記退避状態に保持され、前記傾斜角度が小さくなる向きで前記連結部材が前記屋根側軸部を軸として回動することで前記退避状態から前記突出状態に移行するものであることを特徴とする請求項１乃至３のいずれか１項に記載の建物。
【請求項５】
前記連結部材は、互いに平行に延びた状態で横並びに複数設けられており、これら連結部材においては、前記屋根側軸部と前記設備側軸部との離間距離が同じにされていることを特徴とする請求項４に記載の建物。
【請求項６】
前記移動手段は、着脱可能な掛け渡し具が前記建物設備と前記屋根ユニットとに掛け渡された状態で装着されている場合に、前記退避状態に保持されるものであり、
前記屋根ユニットは、前記建物本体の上に立設された複数のトラスを有しており、
前記複数のトラスには、第１トラスと、該第１トラスに交差する方向に延び且つ同第１トラスに連結された第２トラスとが含まれており、
前記第１トラス及び前記第２トラスのうち、一方に対して前記屋根側軸部が固定されており、他方に前記掛け渡し具の装着が可能になっていることを特徴とする請求項４又は５に記載の建物。
【請求項７】
前記屋根ユニットは、略直方体形状に形成されており、
前記第１トラスは、前記屋根ユニットの長手方向に延びた長手トラスであり、前記屋根ユニットの短手方向に沿って複数設けられており、
前記第２トラスは、前記屋根ユニットの短手方向に延び、隣り合う前記第１トラスに掛け渡されている短手トラスであり、
隣り合う前記第１トラスには、前記移動手段を支持する支持部材が、これら第１トラスに掛け渡された状態で固定されており、
前記移動手段は、前記連結部材が前記第１トラスに沿って回動して傾斜することで前記退避状態に移行するものであり、前記支持部材を挟んで隣り合う前記第２トラスのうち一方と前記建物設備とに、前記屋根ユニットの長手方向に沿って延びた状態で前記掛け渡し具が掛け渡されることで、該退避状態に保持されるものであることを特徴とする請求項６に記載の建物。
【請求項８】
前記移動手段は、前記屋根ユニットの高さ方向に沿って伸縮することで、前記退避状態としての縮み状態と、該縮み状態より長い前記突出状態としての伸び状態とに移行するものであることを特徴とする請求項１乃至３のいずれか１項に記載の建物。
【請求項９】
前記移動手段は、前記突出状態にある場合に、前記建物設備を吊り下げ支持していることで前記保持手段として前記建物設備を前記突出位置に保持するものであることを特徴とする請求項１乃至８のいずれか１項に記載の建物。
【発明の詳細な説明】
【技術分野】
【０００１】
本発明は、屋根ユニットを備えた建物に関するものである。
【背景技術】
【０００２】
住宅等の建物においては、エアコン等の建物設備が天井部に埋め込まれた状態で設置されていることがある。例えば、吊りボルトを介してエアコンを支持する横架材が天井裏に設けられ、天井部にはエアコンを居住空間に露出させる天井開口部が設けられた構成がある（例えば特許文献１参照）。この構成において、横架材は、柱や梁等の建物躯体に固定されている。
【先行技術文献】
【特許文献】
【０００３】
【特許文献１】特開平５−１４９５７４号公報
【発明の概要】
【発明が解決しようとする課題】
【０００４】
ところで、コンビニエンスストアといった中規模店舗等を構成する建物において、建物構造の工業化を図ることを目的として、屋根面材を有する屋根ユニットを工場で製造し、その屋根ユニットをトラック等で建築現場に運搬し、建築現場において複数の屋根ユニットを建物本体の上に設置することで屋根を構築する技術がある。
【０００５】
ここで、建物本体の上に屋根ユニットが設置された建物においては、建物設備が屋根ユニットに対して固定されていることがある。この場合、工場において建物設備を屋根ユニットに対して固定しておき、屋根ユニットを建物設備ごと建築現場に運搬することで、建物設備の設置に関して建築現場での作業負担を軽減することができる。
【０００６】
しかしながら、建物設備が天井開口部を通じて居住空間に露出している構成など、建物設備が屋根ユニットから下方に突出した状態で設けられている構成では、屋根ユニットの運搬に際して建物設備が支障になることが懸念される。例えば、建物設備が邪魔になって屋根ユニットをトラックに適正に積むことができず、建物設備や屋根ユニットが変形したり破損したりするということが懸念される。
【０００７】
本発明は、上記事情に鑑みてなされたものであり、屋根ユニットを用いて屋根が構築された建物において、建物設備の設置に関して建築現場での作業負担を軽減し、しかも、屋根ユニットを好適に運搬することを主たる目的とするものである。
【課題を解決するための手段】
【０００８】
以下、上記課題を解決するのに有効な手段等につき、必要に応じて作用、効果等を示しつつ説明する。なお、以下においては、理解の容易のため、発明の実施の形態において対応する構成を括弧書き等で適宜示すが、この括弧書き等で示した具体的構成に限定されるものではない。
【０００９】
第１の発明の建物は、屋内空間（屋内空間１５）を有する建物本体（建物本体１２）と、前記建物本体の上に設けられた屋根ユニット（屋根ユニット２１）と、前記屋根ユニットから前記屋内空間に向けて突出した突出位置（突出位置Ｎ１）に設けられた建物設備（空調装置３７）と、前記屋根ユニット及び前記建物本体の少なくとも一方に対して固定され、前記建物設備を前記突出位置に保持している保持手段（昇降機構６１）と、を備え、前記建物設備は、前記突出位置より高い位置に退避した退避位置（収納位置Ｎ２）から下方に向けて移動することで前記突出位置に配置され、且つ該突出位置にて前記保持手段により保持されているものであり、前記退避位置にある場合において、当該建物設備を前記突出位置に移動させることが可能な移動手段（昇降機構６１）により前記屋根ユニットに連結された状態になっており、前記移動手段は、前記建物設備を前記退避位置に配置した退避状態と、該建物設備を前記突出位置に配置した突出状態とに、同建物設備を前記屋根ユニットに連結した状態のままで移行可能であることを特徴とする。
【００１０】
第１の発明によれば、屋根ユニットにおいて建物設備が退避位置に移動可能になっているため、工場において建物設備を屋根ユニットに取り付けた後、建物設備付きの屋根ユニットを工場から建築現場に運搬する場合などには、建物設備を退避位置に移動させておくことで、その建物設備が屋根ユニットの運搬の支障になりにくい状態にすることができる。このため、屋根ユニットの運搬に際して建物設備や屋根ユニットが変形したり破損したりすることを抑制できる。しかも、建物設備は屋根ユニットに連結された状態のまま退避位置から突出位置に移動するため、工場において建物設備を退避位置に仮に設置する作業や、建築現場において建物設備を突出位置に移動させる作業を容易化することができる。
【００１１】
以上により、屋根ユニットを用いて構築された建物において、建物設備の設置に関して建築現場での作業負担を軽減し、しかも、屋根ユニットを好適に運搬することができる。
【００１２】
第２の発明では、第１の発明において、前記移動手段は、前記建物設備を前記退避位置から前記突出位置に移動させた状態で、該建物設備が前記突出位置よりも低い位置に移動することを規制するものである。
【００１３】
第２の発明によれば、建築現場において建物設備を退避位置から突出位置に移動させる場合に、建物設備が突出位置より低い位置に意図せずに移動することや、建物設備が下降し過ぎて移動手段から離脱することなどを抑制できる。しかも、建物設備を退避位置から下方に移動させるという容易な作業によりその建物設備が突出位置に配置されことになるため、突出位置に対する建物設備の位置合わせを行う際の作業負担を軽減できる。
【００１４】
第３の発明では、第１又は第２の発明において、前記屋根ユニットは、上弦材（上弦材３１）及び下弦材（下弦材３２）を含んで構成された屋根フレーム（屋根フレーム２２）と、前記屋根フレームの上に設けられた屋根面材（屋根面材２３）と、を有しており、前記建物設備は、前記突出位置にある場合に前記下弦材より下方に突出した状態になっている一方で、前記退避位置にある場合に前記下弦材より上方に収納された状態になっており、前記移動手段は、前記屋根フレームの前記上弦材に対して固定されている。
【００１５】
第３の発明によれば、屋根フレームにおいて、移動手段が上弦材に対して固定されているため、建物設備の位置に関係なく移動手段が建物設備を吊り下げ支持した構成を実現できる。この構成では、例えば移動手段が下弦材に対して固定された構成とは異なり、移動手段の固定対象よりも建物設備が高い位置に移動することがないため、移動手段を平面視において建物設備に重なる位置に配置することが可能となる。したがって、建物設備がエアコン等の重量物であっても、その建物設備を移動手段及び上弦材により適正に支持することができる。
【００１６】
第４の発明では、第１乃至第３のいずれかの発明において、前記移動手段は、上下方向に延び、前記屋根ユニットと前記建物設備とを連結する連結部材（連結部材６７）と、前記屋根ユニットに対して前記連結部材を回動可能に接続している屋根側軸部（屋根側軸部６９）と、前記屋根側軸部から所定間隔で配置され、前記建物設備に対して前記連結部材を回動可能に接続している設備側軸部（装置側軸部６８）と、を有し、鉛直方向に対する前記連結部材の傾斜角度が所定角度に保持されることで前記退避状態に保持され、前記傾斜角度が小さくなる向きで前記連結部材が前記屋根側軸部を軸として回動することで前記退避状態から前記突出状態に移行するものである。
【００１７】
第４の発明によれば、連結部材が屋根ユニットに対して回動するため、建物設備は、連結部材の回動に伴って斜め上方に引き上げられることで退避位置に移動し、その引き上げが緩められることで突出位置に移動することになる。このため、建物設備の荷重が連結部材に加えられた状態を維持したまま、その建物設備の高さ位置を変更することが可能になっている。
【００１８】
ここで、建物設備と屋根ユニットとにワイヤ等の掛け渡し具を掛け渡すことで、この建物設備を退避位置に保持し、その状態で屋根ユニットを運搬する方法が考えられる。この場合、例えば建物設備の荷重の全てが連結部材及び掛け渡し具のうち一方だけに加えられる構成とは異なり、建物設備の荷重が連結部材と掛け渡し具とに分散されるため、連結部材や掛け渡し具に加えられる荷重を低減できる。したがって、非常に高い強度を有する専用具ではなく汎用品を掛け渡し具として使用した場合でも、建物設備を退避位置に適正に保持することができる。
【００１９】
しかも、連結部材に対する建物設備の角度が設備側軸部により変更されるため、建物設備の昇降に関係なく、水平方向に対する建物設備の角度を常に適正な角度に保つことが可能となる。したがって、屋根ユニットの運搬に際して、建物設備が適正な向きに保たれていないことに起因してその建物設備に異常が生じるということを回避できる。
【００２０】
第５の発明では、第４の発明において、前記連結部材は、互いに平行に延びた状態で横並びに複数設けられており、これら連結部材においては、前記屋根側軸部と前記設備側軸部との離間距離が同じにされている。
【００２１】
第５の発明によれば、建物設備が水平方向に対して傾くことを抑制しながらその建物設備を昇降させる構成を、複数の連結部材により簡易に実現できる。この場合、建物設備を退避位置から突出位置に移動させる前後で、水平方向に対する建物設備の角度が同じになるため、収納位置において屋根ユニットに対する建物設備の設置角度を調整しておくことで、建物設備を突出位置に移動させた後にその建物設備の設置角度を再び調整するという必要がない。したがって、建築現場において建物設備を突出位置に設置する際の作業負担を更に軽減することができる。
【００２２】
第６の発明では、第４又は第５の発明において、前記移動手段は、着脱可能な掛け渡し具（掛け渡し具７５）が前記建物設備と前記屋根ユニットとに掛け渡された状態で装着されている場合に、前記退避状態に保持されるものであり、前記屋根ユニットは、前記建物本体の上に立設された複数のトラス（長手トラス２７、短手トラス２８）を有しており、前記複数のトラスには、第１トラス（長手トラス２７）と、該第１トラスに交差する方向に延び且つ同第１トラスに連結された第２トラス（短手トラス２８）とが含まれており、前記第１トラス及び前記第２トラスのうち、一方に対して前記屋根側軸部が固定されており、他方に前記掛け渡し具の装着が可能になっている。
【００２３】
第６の発明によれば、建物設備が退避位置に保持されている場合、建物設備の荷重が連結部材と掛け渡し具とを介して第１トラスと第２トラスとに分散されるため、運搬時の揺れなどに伴って、建物設備の重量よりも大きな大荷重が連結部材や掛け渡し具を介して屋根ユニットに瞬間的に加えられたとしても、屋根ユニットは、その大荷重に対して第１トラス及び第２トラスという複数のトラスで耐えることができる。
【００２４】
しかも、第１トラス及び第２トラスは、異なる方向に延びた状態で互いに連結されているため、例えばこれらトラスが連結されていない構成とは異なり、互いに支え合う状態で建物設備からの荷重に耐えることができる。したがって、建物設備付き屋根ユニットにおいて、運搬に際して建物設備からの荷重により屋根ユニットの変形や破損が生じにくい構成を実現できる。
【００２５】
第７の発明では、第６の発明において、前記屋根ユニットは、略直方体形状に形成されており、前記第１トラスは、前記屋根ユニットの長手方向に延びた長手トラスであり、前記屋根ユニットの短手方向に沿って複数設けられており、前記第２トラスは、前記屋根ユニットの短手方向に延び、隣り合う前記第１トラスに掛け渡されている短手トラスであり、隣り合う前記第１トラスには、前記移動手段を支持する支持部材（支持部材６２）が、これら第１トラスに掛け渡された状態で固定されており、前記移動手段は、前記連結部材が前記第１トラスに沿って回動して傾斜することで前記退避状態に移行するものであり、前記支持部材を挟んで隣り合う前記第２トラスのうち一方と前記建物設備とに、前記屋根ユニットの長手方向に沿って延びた状態で前記掛け渡し具が掛け渡されることで、該退避状態に保持されるものである。
【００２６】
直方体状の屋根ユニットをトラック等の車両で運搬する場合、屋根ユニットはその長手方向が車両の進行方向となる向きで車両に積まれると、車両が発進したり停止したりする際などに、屋根ユニットの長手方向に移動する向きで建物設備に慣性力が加えられることになる。
【００２７】
これに対して、第７の発明によれば、連結部材及び掛け渡し具の両方が屋根ユニットの長手方向に沿って延びた状態で建物設備を退避位置に保持することができる。このため、屋根ユニットの運搬に際して屋根ユニットの長手方向に移動する向きで建物設備に慣性力が加えられたとしても、連結部材及び掛け渡し具の引っ張り力や突っ張り力を、慣性力に抗して建物設備を退避位置に保持する力として作用させることができる。したがって、例えば連結部材や掛け渡し具が屋根ユニットの短手方向に沿って延びた状態で建物設備が退避位置に保持されている場合に比べて、建物設備が屋根ユニットに対して相対的に移動しにくい構成を実現できる。
【００２８】
第８の発明では、第１乃至第３のいずれかの発明において、前記移動手段は、前記屋根ユニットの高さ方向に沿って伸縮することで、前記退避状態としての縮み状態と、該縮み状態より長い前記突出状態としての伸び状態とに移行するものである。
【００２９】
第８の発明によれば、移動手段が屋根ユニットの高さ方向に沿って伸縮するため、移動手段を伸縮させた場合に、建物設備が突出位置に対して高さ方向に交差する方向にずれることを抑制できる。したがって、例えば移動手段の伸縮に伴って建物設備が高さ方向及びその高さ方向に交差する方向の両方に移動する構成に比べて、建物設備の位置合わせ作業を容易化できる。
【００３０】
第９の発明では、第１乃至第８のいずれかの発明において、前記移動手段は、前記突出状態にある場合に、前記建物設備を吊り下げ支持していることで前記保持手段として前記建物設備を前記突出位置に保持するものである。
【００３１】
第９の発明によれば、移動手段により保持手段が構成されているため、建築現場において移動手段を状態移行させることで建物設備を突出位置に移動させた後、保持手段を屋根ユニットや建物設備に取り付ける作業や、屋根ユニットや建物設備から移動手段を取り外す作業を行う必要がなく、移動手段を突出状態に保持するという容易な作業を行うことで、突出位置に対する建物設備の設置作業を完了することができる。
【図面の簡単な説明】
【００３２】
【図１】建物の構成を示す図
【図２】屋根フレームの斜視図
【図３】昇降機構の構成を示す縦断面図
【図４】空調装置周辺の平面図
【図５】屋根ユニットがトラックに積載された状態を示す図
【図６】別の昇降機構の構成を示す概略図
【発明を実施するための形態】
【００３３】
以下、本発明を具体化した一実施形態について図面を参照しつつ説明する。本実施形態では、本発明の建物を鉄骨軸組工法により構築された建物として具体化しており、この建物は、店舗や事務所などとして使用することが可能になっている。図１は建物１０の構成を示す図、図２は屋根フレーム２２の斜視図である。なお、図１においては、（ａ）に建物１０の斜視図を示し、（ｂ）に建物１０の分解斜視図を示す。
【００３４】
図１（ａ），（ｂ）に示すように、建物１０は、基礎１１の上に設けられた建物本体１２と、建物本体１２の上に設けられた屋根１３とを有している。建物本体１２は、略直方体形状とされており、その外壁１４により囲まれた屋内空間１５（図３参照）を有している。外壁１４には、窓部や出入口等の開口部が設けられており、その開口部には、ドアや窓サッシといった建具が設けられている。なお、建物１０の外周面のうち幅方向に延びる一側面が建物正面（ファサード）とされており、その正面側には、屋根１３に正面側に向けて突出した庇部が設けられている。
【００３５】
建物本体１２は、基礎１１に立設されている複数の柱１６と、それら柱１６の上端部同士を連結している大梁１７とを有している。柱１６には、ラチス柱と間柱とが含まれており、ラチス柱は、複数の柱部とそれら柱部を連結するラチス（補強材）とを含んで構成され、間柱は、角形鋼により形成されている。柱１６は、外壁１４と一体になっている壁付き柱とされており、外壁１４に沿って並べられている。大梁１７は、Ｈ形鋼により形成されており、各柱１６の上に設置されている。また、大梁１７は、外壁１４に沿って延びている。
【００３６】
なお、外壁１４において建物正面を形成する部分には、窓ガラスが横並びに複数設けられている窓ガラス領域があり、窓ガラス領域においては窓ガラスが嵌め殺し式とされている。窓ガラス領域においては、隣り合う窓ガラスの間に間柱が配置されている。
【００３７】
屋根１３は、陸屋根（フラットルーフ）とされており、建物１０の奥行き方向を傾斜方向とした水勾配を有している。屋根１３は、奥行き方向の中間部分が上方に向けて突出した形状になっており、その中間部分から正面側及び奥側のそれぞれに向けて下方に傾斜している。屋根１３の屋根面においては、正面側に向けて下方に傾斜した部分が第１屋根面１３ａとされ、奥側に向けて下方に傾斜した部分が第２屋根面１３ｂとされている。なお、図１（ａ），（ｂ）においては、屋根面１３ａ，１３ｂが水勾配を有していることを明確に図示するために、水勾配の角度を実際よりも大きくしてある。
【００３８】
屋根１３は、建物本体１２の上に設置された複数の屋根ユニット２１を有している。屋根ユニット２１は、直方体状に形成されており、その長手方向を建物１０の奥行き方向にした向きで、建物１０の幅方向に沿って横並びに複数設けられている。屋根ユニット２１は、外壁１４における建物正面側の部分と建物奥側の部分とに掛け渡された状態になっており、これら建物正面側の部分や建物奥側の部分に配置された大梁１７や柱１６により支持されている。
【００３９】
屋根ユニット２１は、直方体状の屋根フレーム２２と、その屋根フレーム２２を上方から覆う屋根面材２３とを有している。屋根面材２３は、金属材料により形成された板材とされている。ここで、屋根１３においては、第１屋根面１３ａが折板材により形成されており、第２屋根面１３ｂが平板により形成されている。第１屋根面１３ａにおいては、折板材の折り目が水勾配に沿って延びる向きで設置されている。
【００４０】
図２に示すように、屋根フレーム２２は、長尺状の鋼材が複数組み合わされることで形成された立体トラスとされており、内部空間を有している。屋根フレーム２２は、その屋根フレーム２２の長手方向に沿って延びている長手トラス２７と、短手方向に沿って延びている短手トラス２８とを有している。長手トラス２７及び短手トラス２８は、互いに直交する平面トラスであり、これら長手トラス２７及び短手トラス２８を組み合わせることで屋根フレーム２２が立体トラスになっている。
【００４１】
屋根フレーム２２において、長手トラス２７は屋根フレーム２２の短手方向に沿って一対並べて設けられている。屋根フレーム２２においては、一対の長手トラス２７の間の空間が内部空間に相当する。短手トラス２８は、屋根フレーム２２の長手方向に沿って複数並べて設けられており、各短手トラス２８は、一対の長手トラス２７を連結している。短手トラス２８は、一対の長手トラス２７の間に設けられており、それら長手トラス２７に掛け渡された状態になっている。
【００４２】
長手トラス２７及び短手トラス２８は、上下に対向配置された上弦材３１及び下弦材３２と、これら上弦材３１と下弦材３２とを連結する斜材３３とをそれぞれ有している。長手トラス２７及び短手トラス２８は、いずれも平行トラスとされている。長手トラス２７及び短手トラス２８のそれぞれにおいて、斜材３３は弦材３１，３２の延びている方向に沿って複数並べられており、各斜材３３は弦材３１，３２の間に設けられている。各斜材３３は、鉛直方向に対してそれら斜材３３が並ぶ方向に傾斜している。
【００４３】
なお、上弦材３１、下弦材３２及び斜材３３は、それぞれ鋼材としての溝形鋼により形成されており、それぞれの溝部の開放側を水平方向に向けて配置されている。長手トラス２７においては、上弦材３１、下弦材３２及び斜材３３の各溝部が屋根フレーム２２の短手方向を向いており、短手トラス２８においては、各溝部が屋根フレーム２２の長手方向を向いている。
【００４４】
長手トラス２７においては、下弦材３２が水平方向に延びている一方で、上弦材３１は第１屋根面１３ａに沿って傾斜している。上弦材３１の傾斜角度は、第１屋根面１３ａの傾斜角度（水勾配）と同じ大きさになっている。長手トラス２７の上弦材３１においては、建物奥側の端部が上端になり、建物奥側の端部が下端になっている。この場合、屋根フレーム２２においては、その長手方向が上弦材３１の傾斜している傾斜方向になり、長手トラス２７が傾斜トラスに相当する。なお、図２における上弦材３１の手前側端部が上端部になっており、建物奥側に配置されることになる。
【００４５】
これに対して、短手トラス２８においては、上弦材３１及び下弦材３２がいずれも水平方向に延びている。短手トラス２８の上弦材３１は、一対の長手トラス２７の上弦材３１の間に設けられており、その端面が長手トラス２７の上弦材３１の側面に溶接等により固定されている。同様に、短手トラス２８の下弦材３２は、一対の長手トラス２７の下弦材３２の間に設けられており、その端面が長手トラス２７の下弦材３２の側面に溶接等により固定されている。なお、短手トラス２８は、長手トラス２７に直交する直交トラスに相当する。
【００４６】
長手トラス２７は、鉛直方向に延びている束材３４を有している。束材３４は、斜材３３と同様に、上弦材３１と下弦材３２とを連結するものであり、それら弦材３１，３２に沿って斜材３３と横並びに複数設けられている。また、束材３４は、屋根フレーム２２の短手方向において短手トラス２８に横並びに配置されている。長手トラス２７において、束材３４は屋根フレーム２２の長手方向の端部及び中間位置の両方に配置されている。屋根フレーム２２においては、一対の長手トラス２７の各束材３４の間に短手トラス２８が配置されており、短手トラス２８が長手トラス２７の束材３４により補強されている。なお、束材３４は、角形鋼により形成されている。
【００４７】
建物１０には、建物設備としての空調装置３７が設置されている。ここで、空調装置３７について図３、図４を参照しつつ説明する。図３は昇降機構６１の構成を示す縦断面図、図４は空調装置３７周辺の平面図である。なお、図３、図４においては、（ａ）に空調装置３７が突出位置Ｎ１にある場合の図を示し、（ｂ）に空調装置３７が収納位置Ｎ２にある場合の図を示す。また、図３においては斜材３３の図示を省略し、図４においては装置側アタッチメント６５の図示を省略している。
【００４８】
図３（ａ）に示すように、建物１０は、屋内空間１５の天井部４１を有している。天井部４１は、屋根ユニット２１に対して固定された天井下地４２と、その天井下地４２に取り付けられた天井面材４３とを有している。天井下地４２は、野縁や野縁受け等を有しており、屋根ユニット２１の屋根フレーム２２に取り付けられている。天井面材４３は、石膏ボード等により形成されており、天井下地４２の下側に配置されている。この場合、天井面材４３が屋根フレーム２２から下方に離間した状態にあることなどにより、天井面材４３の下面（天井面）は屋根フレーム２２の下弦材３２の下面から所定距離だけ離間している。また、天井面は水平方向に延びている。
【００４９】
天井面材４３の上方には天井裏空間４４が設けられており、天井裏空間４４と屋内空間１５とは天井面材４３により上下に仕切られている。天井裏空間４４は、屋根面材２３と天井面材４３との間に形成されており、天井裏空間４４には、屋根ユニット２１の内部空間が含まれている。
【００５０】
空調装置３７は、天井部４１に埋め込まれた状態で設置されている。空調装置３７は、装置本体３７ａと、装置本体３７ａを下方から覆い隠す化粧パネル３７ｂとを有している。天井部４１には、天井面材４３を貫通した天井開口部４５が形成されており、装置本体３７ａが天井開口部４５を通じて天井裏空間４４に入り込んだ状態になっている。装置本体３７ａの下面は、天井面材４３の下面と同じ高さ位置に配置されており、化粧パネル３７ｂが装置本体３７ａの下面と天井面材４３の下面とに掛け渡された状態で設けられている。
【００５１】
装置本体３７ａは、屋内空間１５に空調空気を供給する給気口５１と、屋内空間１５の空気を還気として取り込む還気口５２とを有している。給気口５１及び還気口５２は、下方に向けて開放されており、装置本体３７ａの下面に沿って横並びに配置されている。還気口５２は、装置本体３７ａの下面の中央位置にもうけられており、給気口５１は、還気口５２の外周側に複数設けられている。複数の還気口５２は、装置本体３７ａの周縁部に沿って所定間隔で横並びに配置されている。なお、化粧パネル３７ｂは、給気口５１及び還気口５２に連通された通気孔を有している。
【００５２】
装置本体３７ａの下面は天井面と平行に延びており、複数の還気口５２は、天井面に沿って並べられている。この場合、各還気口５２は、いずれも同じ高さ位置に配置されている。ちなみに、屋根ユニット２１においては、下弦材３２は天井面と平行に延びており、隣り合う下弦材３２の並び方向も天井面と平行になっている。
【００５３】
図３（ａ）、図４（ａ）に示すように、空調装置３７は、複数の屋根ユニット２１のうち１つの屋根ユニット２１に上下に重なる位置に配置されており、その屋根ユニット２１に対して固定されている。装置本体３７ａは、一対の長手トラス２７の間において、隣り合う短手トラス２８ａ，２８ｂの間に配置されており、屋根ユニット２１の内部空間に下方から入り込んだ状態になっている。この場合、装置本体３７ａは、その上端が下弦材３２の上面より高い位置に配置されている一方で、屋根フレーム２２から下方に突出している。この場合の空調装置３７の高さ位置を突出位置Ｎ１と称する。なお、下弦材３２からの装置本体３７ａの突出寸法は、天井面材４３の下面と下弦材３２の下面との離間距離と同じ大きさになっている。
【００５４】
建築現場において建物１０が構築される場合、屋根ユニット２１は工場にて製造された後、建築現場に運搬されて建物本体１２の上に設置される。ここで、空調装置３７は工場において屋根ユニット２１に取り付けられ、屋根ユニット２１は、空調装置３７が取り付けられた状態で建築現場に運搬される。この場合、空調装置３７が屋根フレーム２２から下方に突出した状態では、屋根ユニット２１の運搬に際して空調装置３７が支障になることが懸念される。
【００５５】
これに対して、屋根ユニット２１には、空調装置３７の昇降を可能とする昇降機構６１が設けられており、空調装置３７は、昇降機構６１により昇降することで、突出位置Ｎ１とその突出位置Ｎ１より高い位置である収納位置Ｎ２とに移動することが可能になっている。このため、屋根ユニット２１を工場から建築現場に運搬する際には空調装置３７を収納位置Ｎ２に配置しておき、屋根ユニット２１を建築現場に運搬した後は、空調装置３７を突出位置Ｎ１に移動させることで、屋根ユニット２１及び空調装置３７の工業化を図りつつ、屋根ユニットの運搬に際して空調装置３７が支障になることを抑制できる。
【００５６】
図３（ｂ）に示すように、空調装置３７は、収納位置Ｎ２にある場合に屋根ユニット２１の内部空間に収納された状態になる。この場合、装置本体３７ａの下面は屋根フレーム２２の下弦材３２の下面と同じ高さ位置又はそれより若干高い位置に配置されている。ここで、空調装置３７を昇降させる場合には、装置本体３７ａから化粧パネル３７ｂが取り外されており、装置本体３７ａが突出位置Ｎ１及び収納位置Ｎ２に移動することになる。空調装置３７においては、装置本体３７ａの高さ寸法が、屋根フレーム２２における最も高さ寸法の小さい部分（上弦材３１の下端側の部分）の高さ寸法より小さくされており、装置本体３７ａが収納位置Ｎ２にある場合でも、その装置本体３７ａは屋根フレーム２２から上方に突出せず、屋根面材２３に接触しないようになっている。
【００５７】
図３（ａ），（ｂ）、図４（ａ），（ｂ）に示すように、昇降機構６１は、支持部材６２を介して屋根フレーム２２に固定されている。支持部材６２は、上弦材３１の下側に配置され、その上弦材３１に溶接やボルト等により固定されている。支持部材６２は、溝形鋼により形成され、一対の上弦材３１に掛け渡された横架材であり、天井面に平行に延びている。支持部材６２は、屋根ユニット２１の長手方向に沿って横並びに複数設けられており、それら支持部材６２は、屋根ユニット２１の短手方向に沿って互いに平行に延びている。
【００５８】
隣り合う支持部材６２は、互いに同じ高さ位置に配置されている。ここで、各支持部材６２を上弦材３１の高さ位置に合わせて設置すると、上弦材３１が水勾配に沿って傾斜していることに起因して、隣り合う支持部材６２のうち水勾配の上流側の支持部材６２が下流側の支持部材６２に比べて高い位置に配置されることになる。これに対して、上流側の支持部材６２については、上弦材３１の下面との間にスペーサ部材が挟み込まれることなどにより低い位置に配置され、それによって、隣り合う支持部材６２の高さ位置が同じにされている。この場合、支持部材６２が天井面に沿って並んでいることになる。
【００５９】
昇降機構６１は、空調装置３７に取り付けられた装置側アタッチメント６５と、支持部材６２を介して屋根フレーム２２に取り付けられた屋根側アタッチメント６６と、これらアタッチメント６５，６６を連結する連結部材６７と、連結部材６７を装置側アタッチメント６５に回動可能に接続している装置側軸部６８と、連結部材６７を屋根側アタッチメント６６に回動可能に接続している屋根側軸部６９とを有している。この場合、連結部材６７は、アタッチメント６５，６５及び支持部材６２を介して屋根ユニット２１と空調装置３７とを連結していることになる。
【００６０】
装置側アタッチメント６５は、空調装置３７を挟んで横並びに一対設けられており、それぞれ空調装置３７の側面に対して固定されている。装置側アタッチメント６５は、上下方向において空調装置３７の上端と下端との間の中間位置に設置されており、天井面材４３の上面より高い位置に配置されるようになっている。なお、装置側アタッチメント６５は、平面視で空調装置３７の周縁部に沿って延びた枠形状とされていてもよい。この場合、装置側アタッチメント６５は、一対設けられている必要はなく、１つの枠体として空調装置３７に対して固定されていればよい。
【００６１】
屋根側アタッチメント６６は、装置側アタッチメント６５の上方において、支持部材６２の下側に配置されている。屋根側アタッチメント６６は、屋根ユニット２１の長手方向に沿って延びており、隣り合う支持部材６２に掛け渡された状態になっている。屋根側アタッチメント６６は、その上面が各支持部材６２の下面に重ねられた状態で、ボルト等により支持部材６２のそれぞれに固定されている。
【００６２】
連結部材６７は、上下方向に沿って延びている吊りボルト等の長尺部材であり、横並びに複数設けられている。連結部材６７は、屋根ユニット２１の長手方向及び短手方向のそれぞれに沿って複数ずつ横並びに配置されている。連結部材６７においては、その下端部に装置側軸部６８が設けられ、その上端部に屋根側軸部６９が設けられており、これら軸部６８，６９の離間距離は各連結部材６７において同じにされている。つまり、複数の連結部材６７について、各装置側軸部６８が同じ高さ位置に配置されているとともに、各屋根側軸部６９が同じ高さ位置に配置されている。この場合、各連結部材６７においては、屋根側軸部６９を軸とした装置側軸部６８の回動半径が同じになっている。なお装置側軸部６８が設備側軸部に相当する。
【００６３】
装置側軸部６８及び屋根側軸部６９においては、それぞれの軸線が屋根ユニット２１の短手方向に延びている。この場合、空調装置３７は、屋根側軸部６９を軸とした連結部材６７の回動に伴って屋根ユニット２１の長手方向に移動し、移動した場合でも、装置側軸部６８を軸とした連結部材６７の回動により水平状態（空調装置３７の下面が天井面と平行に延びた状態）が保持される。
【００６４】
空調装置３７は、昇降機構６１により突出位置Ｎ１に保持されている。この場合、昇降機構６１は突出状態になっており、空調装置３７を突出位置Ｎ１に保持する保持手段に相当する。昇降機構６１は、突出状態にある場合に、連結部材６７が鉛直方向に延びていることで空調装置３７を吊り下げ支持している。連結部材６７の回動に伴って空調装置３７が昇降する構成において、連結部材６７が鉛直方向に沿って下方に延びていることで昇降機構６１が突出状態にある場合、その空調装置３７が最も低い位置に配置されていることになるため、昇降機構６１は空調装置３７が突出位置Ｎ１よりも低い位置に移動することを規制していることになる。
【００６５】
空調装置３７は、各連結部材６７が上弦材３１に対して回動し、且つこの空調装置３７が各連結部材６７に対して回動することで、下面を天井面と平行にした状態（水平状態）のまま昇降する。ここで、連結部材６７の回動に伴う装置側軸部６８の移動軌跡Ｐは円弧状になっており、この移動軌跡Ｐに沿って空調装置３７が移動することになる。空調装置３７は、屋根ユニット２１の長手方向において水勾配の下流側に向けて斜め上方に移動することで、突出位置Ｎ１から収納位置Ｎ２に移動することになる。この場合、空調装置３７は、この空調装置３７を挟んで隣り合う短手トラス２８ａ，２８ｂのうち水勾配の下流側の短手トラス２８ａ側に近付き、上流側の短手トラス２８ｂから遠ざかることになる。
【００６６】
空調装置３７は、突出位置Ｎ１から収納位置Ｎ２に移動した場合に、突出位置Ｎ１から高さＨだけ高い位置であり、突出位置Ｎ１から幅Ｗだけ水平方向にずれた位置に移動したことになる。ここで、空調装置３７の上下方向の移動距離である高さＨは、下弦材３２の下面と天井面との離間距離と同じ又はそれより若干大きくされており、水平方向の移動距離である幅Ｗは、突出位置Ｎ１にある場合の空調装置３７と水勾配の下流側の短手トラス２８ｂとの離間距離より小さくされている。換言すれば、屋根ユニット２１の内部においては、空調装置３７が突出位置Ｎ１から収納位置Ｎ２に移動可能な移動スペースが確保されていることになる。
【００６７】
なお、昇降機構６１は、保持手段に加えて、空調装置３７を収納位置Ｎ２から突出位置Ｎ１に移動させる移動手段に相当する。また、空調装置３７の収納位置Ｎ２は退避位置に相当し、昇降機構６１について、空調装置３７を収納位置Ｎ２に移動させた状態が退避状態に相当する。さらに、昇降機構６１は、空調装置３７を屋根ユニット２１に連結した状態のまま状態移行することで空調装置３７を昇降させることになる。
【００６８】
また、昇降機構６１は、突出位置Ｎ１から収納位置Ｎ２への空調装置３７の移動を付勢する付勢部材７１を有している。付勢部材７１は、連結部材６７と屋根側アタッチメント６６とに掛け渡された状態で設けられた引きバネであり、空調装置３７が収納位置Ｎ２から突出位置Ｎ１に移動することに伴って伸びるものである。このため、空調装置３７が収納位置Ｎ２から下方に向けて移動する場合に、付勢部材７１の付勢力により空調装置３７の移動速度が小さくなる。したがって、空調装置３７が突出位置Ｎ１に到達した際の衝撃を和らげることができる。また、連結部材６７の回動に伴って空調装置３７が突出位置Ｎ１を通り過ぎて収納位置Ｎ２とは反対側の短手トラス２８ｂに接触するということを抑制できる。
【００６９】
次に、空調装置３７の設置手順について図３〜図５を参照しつつ説明する。図５は、屋根ユニット２１がトラックＴに積載された状態を示す図である。なお、図５においては、（ａ）にトラックＴを側面から見た図を示し、（ｂ）にトラックＴを背面から見た図を示す。
【００７０】
屋根ユニット２１を工場にて製造し、その工場において空調装置３７を屋根ユニット２１に対して取り付ける。工場においては、屋根フレーム２２を製造し、その屋根フレーム２２を作業床等の作業面の上に載置する。そして、空調装置３７を上方から屋根フレーム２２の内部空間に入り込ませることで収納位置Ｎ２に配置する。この場合、空調装置３７も屋根フレーム２２と同様に作業面の上に載置する。その後、空調装置３７に昇降機構６１を取り付け、その昇降機構６１を支持部材６２を介して屋根フレーム２２に固定する。ここで、昇降機構６１が取り付けられる場合、空調装置３７が既に収納位置Ｎ２に配置されているため、昇降機構６１は収納状態を保ったまま屋根フレーム２２に取り付けられることになる。
【００７１】
そして、図３（ｂ）、図４（ｂ）に示すように、隣り合う短手トラス２８ａ，２８ｂのうち水勾配の下流側の短手トラス２８ａと、空調装置３７とに掛け渡した状態で掛け渡し具７５を装着する。掛け渡し具７５は、ワイヤ等の線状部７５ａと、線状部７５ａの両端に取り付けられた引っ掛け部７５ｂとを有している。作業者は、掛け渡し具７５を、線状部７５ａを屋根ユニット２１の長手方向に延ばした状態で、一方の引っ掛け部７５ｂを装置側アタッチメント６５の奥部や孔に引っ掛け、他方を短手トラス２８ａの上弦材３１の溝部やフランジに引っ掛けることで、これら短手トラス２８ｂと空調装置３７とに装着する。この場合、掛け渡し具７５は、屋根フレーム２２及び空調装置３７に対して着脱可能な状態になっており、空調装置３７は、突出位置Ｎ１から上方に退避しており、屋根ユニット２１から下方に突出しない状態になっている。
【００７２】
なお、支持部材６２が固定された長手トラス２７が第１トラスに相当し、掛け渡し具７５が装着された短手トラス２８が第２トラスに相当する。また、掛け渡し具７５は、屋根ユニット２１の短手方向に沿って連結部材６７に対応した位置のそれぞれに配置されており、空調装置３７と装置側アタッチメント６５との接続部分に対して引っ掛けられている。
【００７３】
その後、屋根ユニット２１を昇降機構６１及び空調装置３７ごとトラックＴに積み、工場から建築現場に運搬する。トラックＴの荷台Ｔ１には、３個の屋根ユニット２１を積載することが可能になっている。トラックＴは、荷台Ｔ１を挟んで立設された支柱Ｔ２と、トラックＴの幅方向において隣り合う支柱Ｔ２に掛け渡された横架材Ｔ３とを有している。横架材Ｔ３は、上下２段に配置されており、各段においてトラックＴの長さ方向に複数並べられている。荷台Ｔ１においては、その荷台Ｔ１の積載面と１段目（下側）の横架材Ｔ３との間のスペース、１段目と２段目（上側）との間のスペース、２段目の上側のスペースが、それぞれ屋根ユニット２１が積載される積載スペースになっている。
【００７４】
屋根ユニット２１においては、水勾配を有していることに起因して、長手方向の一方の端部（高端部という）の高さ寸法が他方の端部（低端部という）の高さ寸法より大きくされており、上下に隣り合う屋根ユニット２１は、高端部と低端部とが上下に並ぶ向きで積載されている。なお、屋根ユニット２１は、屋根面材２３を上側にした向きで積載されている。
【００７５】
また、上下に隣り合う屋根ユニット２１の離間距離は、空調装置３７が突出位置Ｎ１にある場合の屋根フレーム２２からの空調装置３７の突出寸法（高さＨ）よりも小さくなっており、空調装置３７が突出位置Ｎ１にある状態で屋根ユニット２１をトラックＴに積載すると、空調装置３７が上下の他の屋根ユニット２１やトラックＴの積載面などに接触して、屋根ユニット２１を適正な状態で積載できないことが懸念される。これに対して、空調装置３７が収納位置Ｎ２に配置されている場合には、空調装置３７が屋根ユニット２１から下方に突出していないため、空調装置３７が支障になって屋根ユニット２１を適正な状態で積載できないという事態を回避できる。
【００７６】
屋根ユニット２１を建築現場に運搬し、建物本体１２の上に設置した後、掛け渡し具７５を取り外し、空調装置３７を収納位置Ｎ２から突出位置Ｎ１に移動させる。この場合、空調装置３７が振り子のように突出位置Ｎ１を繰り返し通過するという事態の発生が付勢部材７１の付勢力により抑制される。
【００７７】
空調装置３７を突出位置Ｎ１に配置した後、装置本体３７ａから化粧パネル３７ｂを取り外し、天井開口部４５から装置本体３７ａが下方に露出する状態で天井部４１を構築する。ここでは、装置本体３７ａや装置側アタッチメント６５を、屋根フレーム２２や天井下地４２にビス等により固定することで、天井部４１に対して装置本体３７ａが相対的に移動しないようにする。そして、装置本体３７ａに化粧パネル３７ｂを取り付ける。
【００７８】
以上詳述した本実施形態によれば、以下の優れた効果が得られる。
【００７９】
屋根ユニット２１において、空調装置３７が突出位置Ｎ１と収納位置Ｎ２とに移動可能になっているため、空調装置３７を収納位置Ｎ２に移動させておくことで、屋根ユニット２１を工場から建築現場に運搬する際に、空調装置３７や屋根ユニット２１が変形したり破損したりすることを抑制できる。しかも、空調装置３７は屋根ユニット２１に連結された状態のまま移動可能になっているため、工場において空調装置３７を収納位置Ｎ２に仮に設置する作業や、建築現場において空調装置３７を突出位置Ｎ１に移動させる作業を容易化できる。したがって、空調装置３７の設置に関して建築現場での作業負担を軽減し、しかも、屋根ユニット２１を好適に運搬することができる。
【００８０】
昇降機構６１の連結部材６７に空調装置３７が固定されているため、空調装置３７が突出位置Ｎ１より低い位置に移動することや、空調装置３７が連結部材６７に対して相対的に下降して昇降機構６１から離脱することなどを抑制できる。このため、空調装置３７を下方に向けて移動させるという容易な作業によりその空調装置３７が突出位置Ｎ１に配置されることになるため、突出位置Ｎ１に対する空調装置３７の位置合わせを行う際の作業負担を軽減できる。
【００８１】
空調装置３７が連結部材６７により吊り下げ支持されているため、連結部材６７が固定された支持部材６２に平面視で重なる位置に空調装置３７を配置することが可能となる。したがって、重量物である空調装置３７を、屋根ユニット２１の上弦材３１や支持部材６２、昇降機構６１などにより適正に支持することができる。
【００８２】
昇降機構６１において連結部材６７を回動させるという容易な作業により空調装置３７を昇降させることができる。しかも、連結部材６７に対する空調装置３７の角度が装置側軸部６８により変更されるため、屋根側軸部６９を軸とした連結部材６７の回動に関係なく、空調装置３７を水平状態で保つことが可能となる。したがって、屋根ユニット２１の運搬に際して、空調装置３７が適正な向きに保たれていないことに起因してその空調装置３７に異常が生じるということを回避できる。
【００８３】
各連結部材６７において屋根側軸部６９と装置側軸部６８との離間距離が同じにされているため、各連結部材６７の回動に伴って空調装置３７が昇降する際に、その空調装置３７が水平方向に対して傾くことを抑制できる。この場合、水平方向に対する空調装置３７の設置角度を収納位置Ｎ２において調整しておくことで、突出位置Ｎ１に移動させた後に角度調整を再び行う必要がない。
【００８４】
屋根ユニット２１においては、昇降機構６１が支持部材６２を介して長手トラス２７に固定されている一方で、掛け渡し具７５が短手トラス２８に装着されるため、空調装置３７の荷重を長手トラス２７と短手トラス２８とに分散させることができる。このため、運搬時の揺れなどに伴って、空調装置３７の重量よりも大きな大荷重が連結部材６７や掛け渡し具７５を介して屋根ユニット２１に加えられたとしても、屋根ユニット２１は、その大荷重に対して長手トラス２７及び短手トラス２８という複数のトラスで耐えることができる。
【００８５】
しかも、長手トラス２７と短手トラス２８とは、異なる方向に延びた状態で互いに連結されているため、例えばこれらトラスが連結されていない構成とは異なり、互いに支え合う状態で空調装置３７からの荷重に耐えることができる。したがって、空調装置３７が取り付けられた屋根ユニット２１において、運搬に際して空調装置３７からの荷重により屋根ユニット２１の変形や破損が生じにくい構成を実現できる。
【００８６】
屋根ユニット２１において、掛け渡し具７５により空調装置３７が収納位置Ｎ２で保持されている場合、連結部材６７及び掛け渡し具７５の両方が屋根ユニット２１の長手方向に沿って延びた状態になっている。このため、トラックＴによる屋根ユニット２１の運搬に際して、トラックＴの発進や停止に伴って屋根ユニット２１の長手方向に向いた慣性力が空調装置３７に加えられたとしても、連結部材６７や掛け渡し具７５の引っ張り力や突っ張り力を、慣性力に抗して空調装置３７を収納位置Ｎ２に保持する力として作用させることができる。したがって、空調装置３７が収納位置Ｎ２にある場合に、例えば連結部材６７や掛け渡し具７５が屋根ユニット２１の短手方向に沿って延びている構成に比べて、トラックＴの進行方向に沿って空調装置３７が屋根ユニット２１に対して相対的に移動しにくい構成を実現できる。
【００８７】
空調装置３７は、昇降機構６１により突出位置Ｎ１に保持されているため、空調装置３７を突出位置Ｎ１に保持するための専用部材を上弦材３１に固定する作業や、昇降機構６１を屋根ユニット２１から取り外す作業を行う必要がない。したがって、昇降機構６１を突出状態に移行させるという容易な作業により、空調装置３７を突出位置Ｎ１に設置する作業を完了することができる。
【００８８】
［他の実施形態］
本発明は上記実施形態の記載内容に限定されず、例えば次のように実施されてもよい。
【００８９】
（１）昇降機構６１により空調装置３７が昇降する構成は、上記実施形態に限られない。ここでは、別の昇降機構６１の構成について図６（ａ）〜（ｄ）を参照しつつ説明する。なお、図６（ａ）〜（ｄ）においては、空調装置３７や屋根ユニット２１の図示を省略している。
【００９０】
昇降機構６１においては、連結部材６７が伸縮することで空調装置３７が昇降する構成としてもよい。例えば、図６（ａ）に示すように、連結部材６７が、一対の脚部８１とこれら脚部８１の端部同士を回動可能に接続した接続軸部８２とを有し、脚部８１同士の交差角度が小さくなることで連結部材６７が縮み、脚部８１同士の交差角度が大きくなることで連結部材６７が伸びる構成とする。この構成では、一対の脚部８１のうち一方が装置側軸部６８を介して装置側アタッチメント６５に接続され、他方が屋根側軸部６９を介して屋根側アタッチメント６６に接続されており、空調装置３７は連結部材６７の伸縮に伴って鉛直方向に移動する。
【００９１】
なお、付勢部材７１は、一対の脚部８１の中間部分同士に掛け渡された状態で設けられており、それによって、脚部８１同士が折れ曲がることを付勢している。この場合、付勢部材７１は、連結部材６７が伸びることに抗して付勢力を発揮するため、空調装置３７がいる。この場合、脚部８１同士の交差角度が大きくなることに抗して付勢部材７１が付勢力を発揮するため、昇降機構６１が突出状態に移行した際の衝撃を和らげることができる。
【００９２】
連結部材６７が伸縮する構成としては、連結部材６７が長尺状のアーム部を複数有し、各アーム部がそれぞれの長手方向に沿って相対的にスライド移動可能な構成が挙げられる。例えば、連結部材６７が一対のアーム部を有し、一方のアーム部が他方のアーム部に対してスライド移動する構成とする。
【００９３】
また、昇降機構６１がリンク機構を形成しており、リンク機構の動作に伴って空調装置３７が昇降する構成としてもよい。例えば、図６（ｂ）に示すように、連結部材６７が屋根側軸部６９を軸に回動する構成において、装置側軸部６８が空調装置３７の下面と平行にスライド移動可能とされ、装置側軸部６８のスライド移動に伴って装置側アタッチメント６５が昇降する構成とする。この構成では、連結部材６７の回動に伴って、空調装置３７を円弧に沿って移動させるのではなく、上下方向に直線的に移動させることが可能となる。この場合、空調装置３７を移動させるための移動スペースを上下方向に沿って延びた空間とすればよいため、天井裏空間４４という限られた空間において移動スペースを確保しやすくなる。
【００９４】
さらに、装置側軸部６８が屋根側軸部６９より高い位置に移動可能な構成としてもよい。例えば、図６（ｃ）に示すように、屋根側軸部６９が屋根フレーム２２の上弦材３１に対して固定されているのではなく、下弦材３２に固定された構成とする。この構成では、昇降機構６１がリンク機構を形成しており、リンク機構の動作に伴って空調装置３７が昇降する。具体的には、図６（ｂ）に示す構成と同様に、装置側軸部６８が装置側アタッチメント６５に沿って水平方向にスライド移動可能であり、連結部材６７の回動に伴って装置側軸部６８がスライド移動することで、装置側アタッチメント６５が昇降する。この構成では、空調装置３７が収納位置Ｎ２にある場合には、装置側軸部６８が屋根側軸部６９より高い位置にある一方で、空調装置３７が突出位置Ｎ１に移動することで、装置側軸部６８が屋根側軸部６９より低い位置に移動する。
【００９５】
なお、図６（ｃ）においては、屋根側軸部６９が屋根側アタッチメント６６を介さずに支持部材６２に固定されており、屋根側アタッチメント６６は設けられていない。
【００９６】
昇降機構６１が、空調装置３７が突出位置Ｎ１に移動した際の衝撃を和らげるダンパを有していてもよい。例えば、図６（ｄ）に示すように、昇降機構６１において、屋根側アタッチメント６６と装置側アタッチメント６５とが連結部材としてのダンパ８５により連結された構成とする。ダンパ８５は、シリンダ８６と、そのシリンダ８６内に入り込んだロッド８７とを有しており、シリンダ８６に対してロッド８７が移動することで伸縮可能になっている。この昇降機構６１においては、空調装置３７が突出位置Ｎ１に到達した際の衝撃がダンパ８５により和らげられることになる。
【００９７】
（２）上記実施形態では、保持手段及び移動手段の両方が昇降機構６１により構成されていたが、昇降機構６１が移動手段を構成する一方で、昇降機構６１とは別のものが保持手段を構成していてもよい。例えば、昇降機構６１が空調装置３７を収納位置Ｎ２から突出位置Ｎ１に移動させた後、空調装置３７を吊り下げ支持する吊りボルト等の吊り部材が新たに取り付けられた構成とする。この構成では、吊り部材においては、その上端部が支持部材６２に固定され、その下端部が空調装置３７に固定されている。この場合、吊り部材が空調装置３７を突出位置Ｎ１に保持する保持手段に相当する。なお、吊り部材は、屋根ユニット２１に対して固定されていれば、上弦材３１や屋根側アタッチメント６６に固定されていてもよく、空調装置３７を支持していれば、装置側アタッチメント６５に固定されていてもよい。
【００９８】
吊り部材が保持手段として空調装置３７を突出位置Ｎ１に保持している状態では、昇降機構６１が空調装置３７を支持していない状態になっていてもよい。例えば、空調装置３７が突出位置Ｎ１に移動し、吊り部材が取り付けられた後は、連結部材６７がアタッチメント６５，６６から取り外されたり、昇降機構６１自体が屋根ユニット２１から取り外されたりしていてもよい。
【００９９】
（３）上記実施形態では、屋根側軸部６９と装置側軸部６８との離間距離（屋根側軸部６９を軸とした装置側軸部６８の回動半径）が各連結部材６７において同じであれば、各連結部材６７について屋根側軸部６９同士の高さ位置や装置側軸部６８同士の高さ位置が異なっていてもよい。この場合でも、空調装置３７の下面が天井面に平行に延びた状態を保持したまま、連結部材６７の回動に伴って空調装置３７を移動させることができる。
【０１００】
また、連結部材６７は、装置側軸部６８を介さずに、空調装置３７（装置側アタッチメント６５）に対して回動しない状態でその空調装置３７に対して固定されていてもよい。この場合、空調装置３７は、収納位置Ｎ２に移動することで天井面に対して傾斜した状態になるが、その状態であっても空調装置３７を収納位置Ｎ２に保持することは可能である。
【０１０１】
（４）空調装置３７は、突出位置Ｎ１より高い位置に退避した退避位置に保持されるのであれば、必ずしも収納位置Ｎ２に保持されなくてもよい。つまり、収納位置Ｎ２は、退避位置の一例であり、退避位置は収納位置Ｎ２に限られない。例えば、空調装置３７の下端部が屋根ユニット２１から下方に突出した位置が退避位置とされた構成とする。この構成でも、空調装置３７を突出位置Ｎ１より上方に退避させた状態で屋根ユニット２１を運搬することが可能になるため、屋根ユニット２１の運搬に際して空調装置３７が支障になる可能性を低減できる。
【０１０２】
（５）上記実施形態では、空調装置３７が突出位置Ｎ１にある場合に、その空調装置３７の上端部が屋根ユニット２１内に入り込んだ状態になっていたが、空調装置３７の上端部が屋根ユニット２１内に入り込んでいない状態になっていてもよい。つまり、空調装置３７は、突出位置Ｎ１にある場合に屋根ユニット２１から下方に離間した位置に配置されていてもよい。
【０１０３】
（６）上記実施形態では、空調装置３７が突出位置Ｎ１にある場合に、連結部材６７が鉛直方向に延びた状態で空調装置３７を吊り下げ支持していたが、連結部材６７は、空調装置３７が突出位置Ｎ１にある場合に鉛直方向に対して傾斜した状態になっていてもよい。
【０１０４】
（７）上記実施形態では、空調装置３７が天井部４１に埋め込まれた状態で設けられていたが、空調装置３７は天井部４１に埋め込まれていなくてもよい。例えば、屋内空間１５が天井部４１を有していない構成とする。この構成においても、空調装置３７は、突出位置Ｎ１にあることで屋根ユニット２１から下方に突出した状態になっており、収納位置Ｎ２にあることで屋根ユニット２１内に収納された状態になる。
【０１０５】
（８）モータ等の駆動部の駆動に伴って昇降機構６１が空調装置３７を昇降させる構成としてもよい。例えば、屋根側軸部６９に対して駆動部が設けられ、駆動部が駆動することで連結部材６７が屋根側軸部６９を軸として回動する構成とする。
【０１０６】
（９）建物設備は、空調装置３７でなく、換気扇や照明器具などとされていてもよい。この場合、換気扇や照明器具などについて、建築現場での施工に際して作業負担を軽減できる。
【０１０７】
（１０）上記実施形態では、支持部材６２の固定対象が長手トラス２７とされ、掛け渡し具７５の装着対象が短手トラス２８とされていたが、この関係を入れ替えて、支持部材６２の固定対象が短手トラス２８とされ、掛け渡し具７５の装着対象が長手トラス２７とされていてもよい。例えば、隣り合う短手トラス２８に支持部材６２が掛け渡された状態で固定され、連結部材６７の回動に伴って空調装置３７が屋根ユニット２１の短手方向に沿って移動し、掛け渡し具７５が長手トラス２７に装着される構成とする。
【０１０８】
また、長手トラス２７及び短手トラス２８のうち一方が、支持部材６２の固定対象及び掛け渡し具７５の装着対象とされていてもよい。例えば、連結部材６７の回動に伴って空調装置３７が屋根ユニット２１の短手方向に沿って移動し、連結部材６７の支持部材６２が掛け渡された一対の長手トラス２７のうち、一方に掛け渡し具７５が装着される構成とする。
【０１０９】
（１１）上記実施形態では、支持部材６２が一対の長手トラス２７に掛け渡された状態でそれら長手トラス２７のそれぞれに固定されていたが、支持部材６２は、１つの長手トラス２７に固定されていてもよい。例えば、支持部材６２が一方の長手トラス２７から他方の長手トラス２７に向けて突出した状態で設けられた構成とする。
【０１１０】
また、支持部材６２は、上弦材３１ではなく、下弦材３２や斜材３３、束材３４などに固定されていてもよい。
【０１１１】
（１２）昇降機構６１は、掛け渡し具７５を用いなくても空調装置３７を収納位置Ｎ２に保持するものであってもよい。例えば、昇降機構６１が連結部材６７の回動を阻止するストッパを有する構成とする。ストッパは、連結部材６７の回動を阻止する阻止状態と、回動を許可する許可状態とに移行可能であり、ストッパを阻止状態に移行させることで、空調装置３７が収納位置Ｎ２に保持することが可能となる。
【符号の説明】
【０１１２】
１０…建物、１２…建物本体、１５…屋内空間、２２…屋根フレーム、２３…屋根面材、２７…第１トラスとしての長手トラス、２８…第２トラスとしての短手トラス、３１…上弦材、３２…下弦材、３７…建物設備としての空調装置、６１…保持手段及び移動手段としての昇降機構、６２…支持部材、６７…連結部材、６８…設備側軸部としての装置側軸部、６９…屋根側軸部、７５…掛け渡し具、Ｎ１…突出位置、Ｎ２…退避位置としての収納位置。
【図１】
2015151817.tif 000003
【図２】
2015151817.tif 000004
【図３】
2015151817.tif 000005
【図４】
2015151817.tif 000006
【図５】
2015151817.tif 000007
【図６】
2015151817.tif 000008